(57)【要約】      （修正有）【課題】パチンコ、スロット等の遊技台への不正解錠を防止するために、かぎ穴を閉ざしたままで開錠できる磁石付き開錠器具を提供する。【解決手段】開錠用器具の先端面をケーシング側に内装されたシリンダー錠差し込まれているキーに固定された円板に当て、駆動ピン８を円板の凹部にはめ込んで面と面を本体軸９側に埋設された磁石７の磁力で密着させ、本体軸９を回転させることで施錠・開錠を行う。本体と鍵を分離するときはスライドボタン１をスライドさせて円板から本体軸９を離すことができる。また、本体軸９と円板を結合させたまま軸方向手前に引けば円板とともにキーを引き抜くことも可能である。さらに、施錠／開錠の時はキー穴に当該キーを差し込んで本体軸９と円板を結合させたまま回せばよい。【選択図】図１
0003221328.tif 000002
【実用新案登録請求の範囲】
【請求項１】
遊技機用の出玉設定および確率変更回路基板を覆う透明ケーシングに、外部からみだりに触れさせないように埋設されたシリンダー錠型キーを、遊技店係員が外部から磁力で結合しキーを回転させて当該設定変更を可能にするための磁石付き開錠用器具
【請求項２】
当該シリンダー錠は公知のものであるが、あらかじめ対応するキーを挿入させておき、キー穴を外部から塞ぐように、鉄またはニッケル及びそれらの合金製の蓋状円板をキーの後端に備えて不正防止加工を施したキーを用いることを特徴とする
【請求項３】
請求項２のキーを回転させて開錠するために、当該蓋状円板の径に等しい程度の軸の先端に強力な外径２ないし５ｍｍ、好ましくは３ないし４ｍｍで、かつ厚みが４ｍｍ以内のコバルトもしくはネオジム磁石を１〜４個を軸の端面に並列もしくは軸に直列に内装することを特徴とする請求項１の開錠用器具
【請求項４】
当該蓋状円板と当該開錠用器具を磁力で結合し、そのまま手を放して、開錠用器具が水平または垂下状態でも落下しない程度で、かつ、軸方向に引けば、シリンダー錠からキーを引き抜ける程度の吸着力を発揮するようなコバルトもしくはネオジム磁石を１個ないし複数内装することを特徴とする請求項１および請求項２の開錠用器具
【請求項５】
当該キー後端の円板表面に複数の浅い穴または溝を刻し、そこに噛みあう突起を当該器具先端面に数か所、突出させて、当該器具とキーの回転を確実にできることを特徴とする請求項１ないし請求項４のキー及び開錠用器具
【請求項６】
当該円板表面と開錠用器具の端面に滑り防止のエンボス加工等と、円板とケーシングの隙間に物を差し入れて不正行為をおこなわせないように円板円周に沿って面取りを施してなる請求項１ないし５の開錠用器具
【請求項７】
設定変更を実施する遊技店店員が本考案の開錠用器具を携帯する際、管理者が、その器具の所在を中央管理室で把握できるように通信機能を有したＩＣタグを本体に埋設してなる請求項１ないし請求項６の開錠用器具
【考案の詳細な説明】
【技術分野】
【０００１】本考案は、遊技台（パチンコ、スロット）のへの不正開錠を防止するために、かぎ穴を閉ざしたまま、本考案の器具を用いて開錠できる開錠用器具に関するものである。
【背景技術】
【０００２】遊技業界（パチンコ、スロット業界）では、係員が店舗内の各遊技台を巡回して出玉管理やメンテナンスをしているが、客の中には遊技業界の内情に通じて不正を働く者もいる。【０００３】不正行為者は、メンテナンス用ボックスの施錠を巧みに開錠し、自分に有利な出玉条件を設定するなどして、店舗に莫大な損害を与えることを組織的におこない、これまで店舗側の犯罪防止策とのいたちごっこに陥っている（特許文献１〜３参照）。【０００４】また、遊技業店舗の係員は遊技台の巡回業務において、遊技台の種類だけ膨大なカギの束を携行して業務に当たらねばならず、さらに情報技術を駆使して電子制御鍵のシステムも考案されているもののコストアップにつながって普及しない。
【先行技術文献】
【０００５】
【特許文献１】特開２００３−１９０５５６
【０００６】
【特許文献２】特開２００３−０１９３３０
【０００７】
【特許文献３】特開２００２−０５８８４７
【考案が解決しようとする課題】
【０００８】遊技店では係員が各遊技台の巡回業務において出玉確率の設定変更等をおこなうにあたり、設定回路基板のボックスを開錠するために遊技台の種類だけキーを携行しているが、その数たるや膨大であり、目的のキーを探し出すのに時間がかかり、さらにキー束が重くなりすぎるなどの不都合が以前から指摘されてきた。
【０００９】この状況を打破する手段としてキーの一本化ができれば解決になるが、そうすると容易に不正がおこなわれやすくなるという防犯上の不都合も起こる。また設定回路基板を収納しているボックスの施錠が通常のキーを差し込むタイプであり、不正開錠がなされやすい形状になっている。
【課題を解決する手段】
【００１０】考案者はキーの一本化と防犯上の問題を合わせて解決すべく、鋭意検討した結果、ボックス側のシリンダー錠のキー穴に改変を加えずに、従来のキーの後端を切断して、鉄またはニッケルもしくはそれらの合金製の円板を公知の方法で強固に接合し、当該キーが当該円板の中心から垂直に立つように固定する。この円板は、当該キー錠をキー穴に差し込んだ時に、ちょうどキー穴を塞ぐ蓋になる。したがって、その円板が突き出ないように円板とボックスの面との高さが同じになるようにキーの切断長さを調節する。必要に応じて、当該円板に不正行為者がへら状のものやピンセット等を差し込んで円板を取り出せないように、隙間をなくし円板の円周を面取り加工しておくこともできる。
【００１１】一方で業務上許可された係員が、当該キーを外部から回して開錠する器具が必要であることはいうまでもなく、本考案の核心でもあり、そのために発明者は、磁力を利用するのがもっとも優れていると判断した。磁石はフェライト磁石でもよいが、なかでもコバルト磁石もしくはネオジム磁石が小型で強力な磁力を発揮する点で、本考案に好ましい磁石といえる。
【００１２】開錠用器具は手に持ちやすい形状であればよく特に決まった形状を有しない。軸になる部分の先端に磁石を埋設し、先端は平坦で、その直径は特に規定しないが、キー側円板のそれに合わせるとよい。先端面は平らにし、磁力が有効に発揮されるようにする。また、ただ平らであるだけでは滑ってキーを回せない可能性もあるので、抵抗を与えるために、面から垂直に数個の１ｍｍ程度の突起を形成し、さらにキー側円板の面にも複数の穴や溝のような凹面の加工を、たとえば放射状にほどこすなどして、突起と噛みあって開錠用器具がキーを回しやすくする必要がある。
【００１３】かかる磁石の強さは強すぎても、弱すぎても使用に支障をきたす。強すぎると、開錠用器具を作業後に円板から取り去るときに外しにくく、反対に弱すぎると、作業時に開錠用器具から手を離すと落下し、またシリンダー錠からキーを抜去できない可能性がある。
【００１４】好ましい磁石の強度は、円板に吸着させた状態で手を離しても落下せずに開錠用器具が水平を保ち、基板ボックスの外扉が不注意で閉じて当たっても落下しない程度の力が必要である。さらに係員が作業を終えたときには、開錠用器具のスライドピンの出し入れで円板から分離することができる必要があり、なおかつ、開錠用器具でキーを抜去できる強さも必要である。
【００１５】  具体的には、当該キースイッチを回転させて設定変更可能な状態にするために、開錠用器具の軸の先端に強力な外径２ないし５ｍｍ、好ましくは３ないし４ｍｍで、かつ厚みが４ｍｍ以内のコバルトもしくはネオジム磁石を１〜４個を端面に並列もしくは軸に直列に内蔵し、キー側の鉄製円板と当該開錠用器具を結合し、キーを回転させるに十分で、かつ、水平または垂下状態でも落下しない程度で、かつシリンダー錠からキーを引き抜ける程度の吸着力を発揮するようなコバルトもしくはネオジム磁石を１個ないし複数個を内蔵させることができる。
【００１６】  本考案の開錠用器具は、小型で紛失しやすく、また不正行為者が持ち去るなどの行為に対応するため、本体部分の適切な部分に通信機能を持たせたＩＣタグを埋設させて、中央管理室でその行方を追跡することができる機能を持たせることも可能である。
【考案の効果】
【００１７】  本考案によれば、遊戯店の係員が業務上で遊技機を操作するにあたり、雑多な鍵の束を持たずに、本考案の開錠用器具一本を所持するだけで、容易かつ迅速に遊技機の設定作業をおこなえ、さらに、不正行為を実施させにくくしているので、防犯上も有益である。
【図面の簡単な説明】
【００１８】
【図１】は本考案器具の本体断面図である。
【図２】は本考案器具のシリンダー錠側にキーが収納されている鍵断面図である。
【図３】は本考案器具の本体／鍵分離状態の断面図である。
【図４】は本考案器具の施錠／開錠状態の断面図である。
【図５】は本考案器具がキー後端部の円板面に噛み合うための凹部パターンの一例である。
【考案を実施するための形態】
【００１９】  本考案は開錠用器具の先端面をケーシング側に内装された公知のシリンダー錠（１２）差し込まれているキー（１０）に固定された円板（１１）に当て、駆動ピン（８）を円板（１１）の凹部にはめ込んで面と面を本体軸（９）側に埋設された磁石（７）の磁力で密着させ、本体軸（９）を回転させることで施錠・開錠を行う。本体と鍵を分離するときはスライドボタン（１）をスライドさせて円板（１１）から本体軸（９）を離すことができる。
また、本体軸（９）と円板（１１）を結合させたまま軸方向手前に引けば円板（１１）とともにキー（１０）を引き抜くことも可能である。さらに、施錠／開錠の時はキー穴に当該キー（１０）を差し込んで本体軸（９）と円板（１１）を結合させたまま回せばよい。
【００２０】  円板（１１）から開錠用器具の本体軸（９）を分離する構造をさらに詳しく述べると、本体軸（９）内に軸方向に摺動するスライドピン（６）を、これに連結されたスライドボタン（１）を先端方向にスライドさせることでなされる。また、スライドボタン（１）から指を離せば圧縮バネ（４）によってスライドピン（６）が元の位置にまで押し戻される。
【００２１】  円板（１１）には図５に示すような凹面刻印を施して、駆動ピン（８）が嵌入し、本体軸（９）を回転させるときに抵抗となって、円板（１１）とともにキー（１０）を回転させることができるが、図５のパターンに縛られるものではなく、同等の効果を発揮するものであればよい。
【００２２】  キャップネジ（５）をホルダー（１３）から外すことで、先端の駆動ピン（８）が摩耗した本体軸（９）を消耗品として新品と交換することが可能である。
【００２３】  さらに、不正を防止するために当該開錠用器具の行方を監視できるように、ハンドル（２）内にＩＣタグ（３）を埋設して通信により中央管理室で位置情報を把握することができる。
【符号の説明】
【００２４】１    スライドボタン
２    ハンドル
３    ＩＣタグ
４    圧縮バネ
５    キャップネジ
６    スライドピン
７    磁石
８    駆動ピン
９    本体軸
１０  キー
１１  円板
１２  シリンダー錠部分
１３  ホルダー
【図１】
0003221328.tif 000003
【図２】
0003221328.tif 000004
【図３】
0003221328.tif 000005
【図４】
0003221328.tif 000006
【図５】
0003221328.tif 000007
【手続補正書】
【提出日】平成31年2月19日(2019.2.19)
【手続補正１】
【補正対象書類名】実用新案登録請求の範囲
【補正対象項目名】全文
【補正方法】変更
【補正の内容】
【実用新案登録請求の範囲】
【請求項１】
遊技機用の出玉設定に関する確率変更回路基板を覆う透明ケーシングに、外部からみだりに触れさせないように埋設されたシリンダー錠型キーを、遊戯店係員が外部から磁力で結合しキーを回転させて当該設定変更を可能にするための磁石付き開錠用器具
【請求項２】
本考案が利用するシリンダー錠は公知のものであるが、あらかじめ対応するキーを挿入させておいて、キー穴を外部から塞ぐように、鉄またはニッケル及びそれらの合金製の蓋状円板をキーの後端に備えて不正防止加工を施したキーを用いることを特徴とする請求項１に記載の磁石付き開錠用器具
【請求項３】
前記キーを回転させて開錠するために、その蓋状円板の径に等しい程度の軸の先端に強力な外径２ないし５ｍｍ、かつ厚みが４ｍｍ以内のコバルトもしくはネオジム磁石を１〜４個を軸の端面に並列もしくは軸に直列に内装することを特徴とする請求項２記載の開錠用器具
【請求項４】
前記蓋状円板と開錠用器具を磁力で結合し、そのまま手を放して、開錠用器具が水平または垂下状態でも落下しない程度で、かつ、軸方向に引けば、シリンダー錠からキーを引き抜ける程度の吸着力を発揮するようなコバルトもしくはネオジム磁石を１個ないし複数内装することを特徴とする請求項１または請求項２の開錠用器具
【請求項５】
前記キー後端の円板表面に複数の浅い穴または溝を刻し、そこに噛みあう突起を当該器具先端面に数か所、突出させて、当該器具とキーの回転を確実にできるキーを備えたことを特徴とする請求項１ないし請求項４のいずれか一項に記載の開錠用器具
【請求項６】
前記円板の表面と開錠用器具の端面に滑り防止のエンボス加工等と、円板とケーシングの隙間に物を差し入れて不正行為をおこなわせないように円板円周に沿って面取りを施してなる請求項１ないし５のいずれか一項に記載の開錠用器具
【請求項７】
設定変更を実施する遊戯店店員が本考案の開錠用器具を携帯する際、管理者が、その器具の所在を中央管理室で把握できるように通信機能を有したＩＣタグを本体に埋設してなる請求項１ないし請求項６のいずれか一項に記載の開錠用器具